(57)【特許請求の範囲】
【請求項１】
使用者の腰部に巻き付けて着用される布状のスカート本体と、
使用者の股間部を前後方向にくぐるようにして覆う帯状の取換シートと、
使用者の腰に締着する腰ベルトと
を備え、
前記スカート本体は、使用者の着用時における左右方向に延び、両端をスカート本体内面に固着された前後一対の掛止紐を有し、
前記取換シートは、長手方向の両端部に設けられる端部面ファスナーと前記端部面ファスナーと同じ面に設けられ、かつ前記端部面ファスナーより長手方向の中間側に設けられる中間部面ファスナーとを有し、
前記取換シートの端部を前記掛止紐とスカート本体の間に形成された挿通孔に挿通した後、前記端部面ファスナーを前記中間部面ファスナーに係着することで前記取換シートを前記スカート本体に取着するよう構成され、
前記スカート本体は、内面の上端縁に沿って設けられるスカート本体側の面ファスナーを有し、
前記腰ベルトは、外面に前記スカート本体側の面ファスナーに係着するベルト側の面ファスナーを有し、
前記腰ベルトの外側から前記スカート本体を前記腰ベルトに係着して、前記スカート本体を使用者の腰部に巻き付けるよう構成されている取換シート付スカート。
【請求項２】
前記取換シートは、内面に吸水シートが設けられ、外面に前記端部面ファスナー及び前記中間部面ファスナーが設けられている請求項１に記載の取換シート付スカート。
【請求項３】
前記腰ベルトは、長手方向に伸縮自在な伸縮性部材により形成されるベルト本体と、前記ベルト本体の長手方向の両端部に設けられるホックとを備え、
前記スカート側の面ファスナーは、前身頃部から後身頃部に渡って連続的に、又は間欠的に設けられ、
前記腰ベルト側の面ファスナーは、前記腰ベルト外面の長手方向に沿って間欠的に並べられている請求項１、又は請求項２に記載の取換シート付スカート。
【発明の詳細な説明】
【技術分野】
【０００１】
この発明は、尿やおりもの等の汚物を処理する取換シートを着脱可能に設けた衛生用や老人用、介護用の取換シート付スカートに関する。
【背景技術】
【０００２】
本発明者は、以前より取換シートを備えた下着の開発に取り組んでおり、先に股間部に設けた開口部に被覆シート（取換シート）を設けたパンツについて実用新案登録出願を行っている（特許文献１参照）。
【０００３】
特許文献１にかかるパンツは、パンツ本体股間部の開口を塞ぐ被覆シートを押え紐でパンツ本体に押え付けることでパンツの水密性を高め、また、パンツ本体に面ファスナーを設けないようにすることで、面ファスナーの汚れを原因とするパンツ本体の交換頻度を抑制し、さらに、被覆シートを前後の両方から開放可能にすることで、寝たきりの患者が仰向きうつ伏せの何れの姿勢であっても、前後何れかから被覆シートを開放して、被覆シートが汚れているかどうかを確認できるようにしたものである。
【先行技術文献】
【特許文献】
【０００４】
【特許文献１】実用新案登録第３１９５６４３号公報
【発明の概要】
【発明が解決しようとする課題】
【０００５】
しかし、特許文献１の股間部に開口部を有するパンツは、使用者自身がパンツ本体を交換する場合、足を曲げる必要が有るため、膝が悪くて曲げられない人の場合、両手が使える人であっても自分では交換しづらいという問題がある。また、介護者が交換するにしても、被介護者が足を曲げられない場合、足を伸ばしたまま足先までパンツ本体を移動させる必要が有り、パンツ本体の交換に非常に時間がかかるという課題がある。
加えて、特許文献１に係るパンツでは、独力でトイレを使用できる使用者が、洗浄便座を利用する場合に、被覆シートを外してもパンツ本体を着用したままでは、パンツ本体が濡れてしまうという課題が有る。
【０００６】
本発明は、上記課題に鑑みてなされたものであり、膝が曲がらない人であっても、両手の使える人であれば自分で交換でき、また、介護者に下着本体を交換してもらう場合に、被介護者が足を伸ばしたままでも足先まで移動させることなく下着本体の交換が可能で、さらに、取換シートさえ外せば、下着本体を着用したままでも下着本体を濡らすことなく洗浄便座を使用可能な衛生用、老人用、又は介護用の取換シート付下着を提供することを目的とする。
【課題を解決するための手段】
【０００７】
上記課題を解決するためになされた発明は、使用者の腰部に巻き付けて着用される布状のスカート本体と、使用者の股間部を前後方向にくぐるようにして覆う帯状の取換シートと、使用者の腰に締着する腰ベルトとを備え、前記スカート本体は、使用者の着用時における左右方向に延び、両端をスカート本体内面に固着された前後一対の掛止紐を有し、前記取換シートは、長手方向の両端部に設けられる端部面ファスナーと前記端部面ファスナーと同じ面に設けられ、かつ前記端部面ファスナーより長手方向の中間側に設けられる中間部面ファスナーとを有し、前記取換シートの端部を前記掛止紐とスカート本体の間に形成された挿通孔に挿通した後、前記端部面ファスナーを前記中間部面ファスナーに係着することで前記取換シートを前記スカート本体に取着するよう構成され、前記スカート本体は、内面の上端縁に沿って設けられるスカート本体側の面ファスナーを有し、前記腰ベルトは、外面に前記スカート本体側の面ファスナーに係着するベルト側の面ファスナーを有し、前記腰ベルトの外側から前記スカート本体を前記腰ベルトに係着して、前記スカート本体を使用者の腰部に巻き付けるよう構成されている取換シート付スカートである。
【０００８】
本発明の取換シート付スカートは、このように、スカート本体を使用者の腰部へ巻き付けるよう構成したので、使用者は足を曲げることなくスカートを着脱することができる。また、パンツではなくスカートとしたことで、下方が大きく開いているので、取換シートを外してトイレで排尿、排便を行う際に、スカート本体を汚すことを抑制できる。
【０００９】
前記取換シートは、内面に吸水シートが設けられ、外面に前記端部面ファスナー及び前記中間部面ファスナーが設けられていることが好ましい。
このように、吸水シートと反対側となる外面に、端部面ファスナー、及び中間部面ファスナーの両方を設けることで、面ファスナーが汚れることを抑制できる。また、こうすることで掛止紐の上側から取換シートを挿通孔へ挿通することになるので、取換シートと使用者の体との密着性を高めることができる。加えて、こうすることで、本取換シート付スカートを着用した状態でスカート本体をめくり上げると、取換シートの端部が外側に現れるので、当該端部をつかんで取換シートを掛止紐から脱着しやすい。
【００１０】
本発明の取換シート付スカートは、使用者の腰に締着する腰ベルトを備え、前記スカート本体は、内面の上端縁に沿って設けられるスカート本体側の面ファスナーを有し、前記腰ベルトは、外面に前記スカート本体側の面ファスナーに係着するベルト側の面ファスナーを有し、  前記腰ベルトの外側から前記スカート本体を前記腰ベルトに係着して、前記スカート本体を使用者の腰部に巻き付けるよう構成されている。このように、腰ベルトをスカート本体の内側に配設し、スカート本体を腰ベルトの外側から腰ベルトに係着することで、ベルトを外すことなくスカート本体を開くことができる。
【００１１】
前記腰ベルトは、長手方向に伸縮自在な伸縮性部材により形成されるベルト本体と、前記ベルト本体の長手方向の両端部に設けられるホックとを備え、前記スカート本体側の面ファスナーは、前身頃部から後身頃部に渡って連続的に、又は間欠的に設けられ、前記腰ベルト側の面ファスナーは、前記腰ベルト外面の長手方向に沿って間欠的に並べられていることが好ましい。このように、ベルト本体を伸縮性部材により形成し、長手方向の両端部にホックを設けたことで、ベルト本体を伸ばして使用者の腰部に巻き付け、両端部をフックで連結するだけで、腰ベルトを使用者の腰部に締着できる。また、ベルト側の面ファスナーを間欠的に設けたので、面ファスナーがベルト本体の伸縮を妨げることがない。さらに、面ファスナーを前身頃部から後身頃部に渡って設けたので、スカート本体の前身頃部又は後身頃部のみをベルトから外してスカート本体を前側だけ、あるいは後側だけ開くことができる。
【００１２】
前記スカート本体は、後身頃部の外面下端部に設けられた左右一対のゴム紐及び／又は弱粘着性テープからなるペーパー係止手段を備えることが好ましい。こうすることで、洋式便座にトイレットペーパーを敷いて座るときに、ゴム紐でトイレットペーパーを挟むか、又は弱粘着性テープでトイレットペーパーを貼着させるかして、トイレットペーパーのずれを抑制できる。
【００１３】
前記取換シートは、長手方向の両端部において、幅方向の中央から延出する中舌片と、幅方向の外側から延出する一対の外舌片とからなる三つ又部を有し、前記挿通孔は、前記中舌片を挿通する中挿通孔、及び一対の外舌片をそれぞれ挿通する一対の外挿通孔からなる３つの挿通孔を有することが好ましい。取換シートは、股の間に挟まれて、紐のように潰れてしまうことがよくある。このように、端部に中舌片と一対の外舌片からなる三つ又部を形成し、掛止紐の挿通孔を中挿通孔と一対の外挿通孔に分割し、中舌片を中挿通孔に、一対の外舌片をと一対の中挿通孔に挿通することで、取換シートが幅方向に潰れてしまうこと抑制できる。
【００１４】
ここで、「布状」とは、織布、不織布に限らず、編地、紙、樹脂製シートのように、布と同様に使用者の腰部に巻き付けることができるものをすべて含むものとする。
【発明の効果】
【００１５】
以上、説明したように本発明の取換シート付スカートによれば、足を曲げることなく着脱することができる。また、トイレでスカート本体を着用したまま排尿、排便を行う際に、スカート本体を汚すことを抑制することができる。
【図面の簡単な説明】
【００１６】
【図１】本発明の一の実施形態に係る取換シート付スカートの使用状態を示す斜視図である。
【図２】図１に示した取換シート付スカートを広げた状態の外面側を示す正面図である。
【図３】図１に示した取換シート付スカートを広げた状態の内面側を示す背面図である。
【図４】図１に示した取換シート付スカートの腰ベルトの（ａ）外面側を示す正面図、及び（ｂ）底面図である。
【図５】図１に示した取換シートの（ａ）外面側を示す正面図、（ｂ）右側面図、（ｃ）内面側を示す背面図である。
【図６】本発明の一の実施形態に係る取換シートの使用状態を示す背面図である。
【図７】図１に示した取換シート付スカートの使用状態を側面視で示した部分断面図である。
【発明を実施するための形態】
【００１７】
以下、適宜図面を参照しながら本発明の実施形態について詳述する。図１は、本発明の一の実施の形態に係る取換シート付スカート１００を示している。取換シート付スカート１００は、図１に示すように、スカート本体１と、取換シート２と、腰ベルト３とを主に備えている。以下の説明において、使用者が取換シート付スカート１００を着用した際に本人から見た上下方向、左右方向、水平方向を、それぞれ、単に上下方向、左右方向、水平方向という。
尚、本発明は、以下の実施の形態に限られるものではない。
【００１８】
スカート本体１は、布地を裁断・縫製して、図２に示すような、上下方向を短手方向とする略長方形に形成されている。スカート本体１は、左右いずれか一方の半分（図２では左側）が前身頃部１１、左右の他方の半分（図２では右側）が後身頃部１２に構成され、３つのボタン孔１３が上端縁に沿って略等間隔に設けられている。スカート本体１の内面側には、図３に示すように、ボタン孔１３の間に、複数の帯状の面ファスナー１６，…が、間欠的に貼設され、左右の両端縁には、２対の雄雌式の鍵ホック１４が上下に距離を置いて設けられている。
後身頃部１２の下端縁は臀部の形状に合わせて、下向きに突出する山１２ａが谷を挟んで左右に２つ並ぶ形状を有し、２つの山１２ａの外面下端部には、図２に示すように、一対の弱粘着性テープを外面に貼着したゴム紐からなるペーパー係止手段１５，１５が、長さ方向を左右方向にして両端を縫着されている。また、スカート本体１は、後身頃部１２の上側の隅部に掛止輪１８が設けられ、前身頃部１１外面の上側隅部に、掛止輪１８を掛止するボタン１９が設けられている。尚、ペーパー係止手段１５，１５は、外面に弱粘着性テープを備えない単なるゴム紐を用いることもでき、また、弱粘着性テープのみをスカート本体に貼着するようにしてもよい。
【００１９】
図３に示すように、スカート本体１内面の前身頃部１１、及び後身頃部１２の左右方向の中央には、掛止紐１７が１つずつ設けられている。掛止紐１７は、スカート本体１の左右方向を長さ方向として、スカート本体１内面に縫着されており、中間部２か所と両端の計４箇所を縫着することで、掛止紐１７とスカート本体１の間に上下方向に貫通する中挿通孔１７ａ、及び一対の外挿通孔１７ｂ、１７ｂが形成されている。
【００２０】
スカート本体１の布地としては、綿のメリヤス生地が好ましく用いられる他、公知の織地や編地、紙、樹脂製シートを適宜に選択して用いることができる。また、弱粘着性テープとしては、例えば、アクリル系粘着剤、ポリイソブチレン系粘着剤、マレイン酸アミド系粘着剤、天然ゴム系粘着剤、ＳＢＲ系粘着剤、ブチルゴム系粘着剤などの中で、粘着力の比較的弱いものが挙げられる。
【００２１】
取換シート２は、図５に示すように、前端（図５の上側）から後端に向けて徐々に細くなる帯状をなし、内面側（図５（ｃ）に表れる）となる吸水シート２１と、外面側（図５（ａ）に表れる）となる面ファスナー２２を背中合わせに貼設して形成されている。取換シート２の両端部には、それぞれ中舌片２３ａと左右一対の外舌片２３ｂ，２３ｂとからなる一対の三つ又部２３，２３が設けられている。
【００２２】
取換シート２の面ファスナー２２は、図５（ａ）に示すように、取換シート２外面の長さ方向の中間部に位置する雌の面ファスナーからなる中間部面ファスナー２２ａと、両端部に位置する雄の面ファスナーからなる端部面ファスナー２２ｂとで構成されている。ただし、中間部面ファスナー２２ａと端部面ファスナー２２ｂの雌雄を逆にしてもよいし、両方を雌雄のないタイプの面ファスナーで構成してもよい。
【００２３】
腰ベルト３は、図４に示すように、長手方向に伸縮性を有するベルト本体３１を主部材として、ベルト本体１の外面側の両端と中央に縫着される３つのボタン３３，…と、ボタン３３，…の間に、間欠的に複数列設される帯状の面ファスナー３２，…と、両端部に縫着される２対の鍵ホック３４，…とを有している。
【００２４】
次に、本実施形態に係る取換シート付スカート１００の使用方法と各構成の効果について説明する。取換シート付スカート１００を着用する場合は、予め、取換シート２の前後端の一方をスカート本体１に係着しておく。取換シート２をスカート本体１に係着する際には、掛止紐１７の中挿通孔１７ａ、及び一対の外挿通孔１７ｂ，１７ｂに取換シート２の三つ又部２３の中舌片２３ａ、及び一対の外舌片２３ｂ，２３ｂをそれぞれ上側から挿通したのち、端部面ファスナー２２ｂを中間部面ファスナー２２ａに係着する。
尚、以下の説明では、図６に示すように、取換シート２の後側の端部をスカート本体１に係着しておく場合について説明するが、取換シート２の前側の端部を、予めスカート本体に係着するようにしてもよい。
【００２５】
取換シート２をスカート本体１に係着させる作業と並行又は前後して、使用者は、腰ベルト３をベルト本体３１が内側になるように腰に巻き付け、両端の鍵ホック３４，３４を係合させて腰ベルト３を腰に締着する。スカート本体１に取換シート２を係着し、腰ベルト３を腰に締着したら、ベルト側の面ファスナー３２とスカート本体側の面ファスナー１６を前身頃部側だけ係着させたのち、スカート本体１の後身頃部１２を使用者の背後へ折り返す。そして、ここで後身頃部１２を面ファスナー１６，３３で腰ベルト３へ係着し、前身頃部１１を腰ベルト３から脱着する。この状態で、取換シート２の前端側を使用者の股間の後側から前側へと通し、後端側と同様にして、前端側の三つ又部を前身頃部１１の掛止紐１７に掛止する。しかる後、スカート本体１の雌雄の鍵ホック１４を係合させてスカート本体１の両端縁を連結する。この際、スカート本体１の前身頃部側の面ファスナー１６と、腰ベルトの面ファスナー３２を結合し、腰ベルト３のボタン３３をスカート本体１のボタン孔１３に係合させる。
【００２６】
図７に示すように、取換シート２は、スカート本体１の内面に設けられた掛止紐１７に両端を掛止するよう構成されているため、取換シート２をより使用者の体に密着させることができる。また、取換シート２は、掛止紐１７の上側から挿通孔１７ａ，１７ｂ、１７ｂに挿通されるので、より、取換シート２を使用者の体に密着でき、掛止紐１７を覆い隠すことができるため、掛止紐１７に汚物が付着しにくい。加えて、取換シート２は、吸水シート２１が設けられる内面ではなく、外面に面ファスナー２２を備えるため、面ファスナー２２にも汚物が付着しにくい。さらに、取換シート２は、端部に設けた三つ又部２３の中舌片２３ａ，及び一対の外舌片２３ｂ，２３ｂを、掛止紐１７の中挿通孔１７ａ，一対の外挿通孔１７ｂ，１７ｂにそれぞれ挿入するため、取換シート２が幅方向に折れ曲がったり丸くなったりして潰れることを抑制できる。
【００２７】
また、使用者の腰に締着した腰ベルト３の上からスカート本体１を腰ベルト３に係着し面ファスナー１６と面ファスナー３２やボタン３３で、スカート本体１の周方向の一部だけを腰ベルト３に係着できるようにしたので、例えば、前身頃部１２の掛止紐１７に取換シート２を掛止したスカート本体１を着用する際に、スカート本体１の前身頃部１１を腰ベルト２で支持しておくことで、前身頃部１１を支持するために片手を取られることがなくなり、取換シート２の後側の端部を後身頃部の掛止紐１７に掛止する際に両手を使うことができる。
【００２８】
取換シート２を交換する場合は、まず、鍵ホック１４を解除し、前側のベルト側の面ファスナー３２を前側のスカート本体側の面ファスナー１６から脱着し、スカート本体１の前身頃部１１をはだける。この状態で、取換シート２の前端側の三つ又部２３を掛止紐１７から取り外し、代わって新しい取換シート２の前側の三つ又部２３を掛止紐１７に係着する。ここまで作業が終了すると、前身頃部１１を戻して面ファスナー１６，３２で腰ベルト３に係着する。
次に、後身頃部１２を腰ベルト３から脱着してはだけ、古い取換シート２の後側の三つ又部２３を後身頃部１２側の掛止紐１７から脱着し、古い取換シート２を股の間から引き抜いたのちスカート本体１から取り外す。続けて、新しい取換シート２を股間へ通し後側の三つ又部２３を後身頃部１２の掛止紐１７に係着する。しかるのち、後身頃部１２を戻して腰ベルト３へ係着し、鍵ホック１４を係合する。
【００２９】
また、取換シート２は、スカート本体１を腰ベルト３に係着したまま交換することもできる。スカート本体１の前身頃部１１をまくり上げると、取換シート２の三つ又部２３の端部が前方に現れるのでこれを掴んで引っ張るだけで、取換シート２の三つ又部２３を掛止紐１７から脱着できる。取換シート２の後端側についても後身頃部１２をまくり上げることで同様に脱着できる。こうして古い取換シート２を取り外したら、新しい取換シート２の前端側の三つ又部２３を、前身頃部１１をまくり上げることで上下が逆になっている前側の掛止紐１７の下方（前身頃部１１を下した状態の上方）から挿通孔１７ａ，１７ｂに挿入して係着する。続けて、取換シート２の後端側を股間部へ通し、前端側と同様に、後端側の三つ又部２３を後身頃部１２の掛止紐１７に係着する。
尚、三つ又部２３の外舌片２３ｂ，２３ｂは、掛止紐１７に面ファスナーではなくクリップで固定するようにしてよく、クリップと面ファスナーを両方用いて固定してもよい。
【００３０】
取換シート付スカート１００を着用したまま洋式便器を使用する場合には、ロール式のトイレットペーパーから短冊状のペーパーＡを２枚切断し、ペーパーＡの端部を一対のペーパー係止手段１５，１５の弱粘着性テープへ貼着し、図２に示すように、後身頃部２から両足の後方へペーパーＡが垂れ下がるようにする。そして、このまま便座へ腰を下ろすと、便座と太腿の間にペーパーＡが挟まれ、太腿が直に便座に接触することを防げる。
【００３１】
本発明の取換シート付スカートは、上記の実施形態に限られるものではなく、例えば、取換シートの吸水シートと面ファスナーの両方を取換シートの内面側に設け、掛止紐の下から取換シートを通すようにしてもよい。また、スカート本体の上から腰ベルト１を締着するようにしてもよい。腰ベルトとスカート本体は、面ファスナーとボタンのいずれか一方のみで係着するようにしてもよく、ホックや、弱粘着性テープなど、ボタンや面ファスナー以外の公知の係着方法を採用してもよい。腰ベルトを省略することもできるし、取換シートの三つ又部を省略し、掛止紐の挿入孔を１つにしてもよい。後身頃部の下端の２つの山や弱粘着性テープを省略してもよい。取換シートの中間部面ファスナーは中央で２つに分離してもよい。
【符号の説明】
【００３２】
１００  取換シート付スカート
１  スカート本体
１５  ペーパー係止手段
１６  スカート本体側の面ファスナー
１７  掛止紐
１７ａ  中挿通孔（挿通孔）
１７ｂ  外挿通孔（挿通孔）
２  取換シート
２１  吸水シート
２２  面ファスナー
２２ａ  中間部面ファスナー
２２ｂ  端部面ファスナー
２３  三つ又部
２３ａ  中舌片
２３ｂ  外舌片
３  腰ベルト
３１  ベルト本体
３２  ベルト側の面ファスナー
【要約】      （修正有）【課題】足を曲げることなく本体の着脱が可能で、取換シートのみを外して本体を着用したままトイレを利用しても本体を汚すことの少ない取換シート付下着の提供。【解決手段】本発明の取換シート付スカート１００は、使用者の腰部に巻き付けて着用される布状のスカート本体１と、使用者の股間部を前後方向にくぐるようにして覆う帯状の取換シートとを備える。スカート本体１は、前後一対の掛止紐１７，１７を有し、取換シートは、端部を掛止紐１７とスカート本体１の間に形成された挿通孔１７ａ，１７ｂに挿通した後、端部面ファスナーを中間部面ファスナーに係着することで取換シートをスカート本体に取着する。【選択図】図３【図１】
0005948471.tif 000002
【図２】
0005948471.tif 000003
【図３】
0005948471.tif 000004
【図４】
0005948471.tif 000005
【図５】
0005948471.tif 000006
【図６】
0005948471.tif 000007
【図７】
0005948471.tif 000008